(57)【要約】【課題】  光ケーブル用の光クロージャを用いて、ドロップケーブルを容易に、短時間で、費用をかけることなく、引き込んで分岐させるアダプタを提供する。【解決手段】  断面が丸型の光ケーブルを引き込んで分岐させるための光クロージャ２０に、光ケーブルの代わりにドロップケーブル３５を引き込んで分岐させるアダプタ１であって、光ケーブルと同一の断面形状の円柱状に形成されるとともに、光クロージャ２０の光ケーブルの引込部２３に既設の固定金具２６によって固定可能なアダプタ本体２と、アダプタ本体２を軸方向に貫通する、ドロップケーブル３５を挿通させるための少なくとも一つのケーブル挿通孔３と、ドロップケーブル３５をアダプタ本体２に固定するとともに、ドロップケーブル３５とケーブル挿通孔３との間をシールする固定手段７とを備える。【選択図】図３
2010091880.tif 000002
【特許請求の範囲】
【請求項１】
断面が丸型の光ケーブルを引き込んで分岐させるための光クロージャに、前記光ケーブルの代わりにドロップケーブルを引き込んで分岐させるアダプタであって、
前記光ケーブルと同一の断面形状の円柱状に形成されるとともに、前記光クロージャの光ケーブルの引込部に既設の固定金具によって固定可能なアダプタ本体と、該アダプタ本体を軸方向に貫通する、前記ドロップケーブルを挿通させるための少なくとも一つのケーブル挿通孔と、前記ドロップケーブルを前記アダプタ本体に固定するとともに、前記ドロップケーブルと前記ケーブル挿通孔との間をシールする固定手段とを備えていることを特徴とするアダプタ。
【請求項２】
前記アダプタ本体にはテンションメンバが一体に設けられ、該テンションメンバの一部は前記アダプタ本体の軸方向の一端から突出して、前記光クロージャに既設の把持金具によって固定されていることを特徴とする請求項１に記載のアダプタ。
【請求項３】
前記光クロージャの前記光ケーブルの引込部には、前記光ケーブルと前記光クロージャとの間をシールする既設のグロメットが配置され、該グロメットにより前記アダプタ本体と前記光クロージャとの間がシールされていることを特徴とする請求項１又は２に記載のアダプタ。
【請求項４】
前記ケーブル挿通孔の一端側の開口部は、内面が外方に向かって順次広がるテーパ面に形成され、前記固定手段は、外面が前記ケーブル挿通孔の一端側の開口部の内面と合致するテーパ面に形成されるクサビ部と、該クサビ部に一体に設けられて前記アダプタ本体の一端面に係止される係止部とを備えていることを特徴とする請求項１から３の何れか１項に記載のアダプタ。
【請求項５】
前記アダプタ本体の軸方向の他端にはグロメットが装着され、該グロメットによって前記アダプタ本体の軸方向の他端がシールされていることを特徴とする請求項１から４の何れか１項に記載のアダプタ。
【発明の詳細な説明】
【技術分野】
【０００１】
本発明は、アダプタに関し、特に、光ケーブルを引き込んで分岐させるための光グロージャに用いられ、光ケーブルの代わりにドロップケーブルを引き込んで分岐させるのに有効なアダプタに関する。
【背景技術】
【０００２】
一般に、企業向けの光アクセス回線サービスにはφ１３ｍｍ程度の丸型の光ケーブルが用いられ、この光ケーブルを支持物（電柱等）に架設し、この光ケーブルを支持物に近接する部分に配置した光クロージャに引き込み、光クロージャで分岐させて引き出し、企業の各施設に引き込んでいる。
【０００３】
光ケーブルを支持物に架設する場合、支持物の所有者に支持物の使用許可を得る必要があるが、支持物の老朽化、支持物に既に複数のケーブルが架設されている等の理由により、新たに光ケーブルを架設する許可が得られないことがある。
【０００４】
このような場合に、光ケーブルよりも細径で軽量のドロップケーブルを用いることにより使用許可が得られることがあるが、企業向けの光アクセス回線サービスに用いられる光クロージャは、丸型の光ケーブルを使用することを前提として設計されているため、光ケーブルの代わりにドロップケーブルを用いる場合には、光ケーブル用の既設の部品（固定金具、グロメット、把持金具等）を取り外して、それらをドロップケーブル用に交換して作業を行わなければならず、ドロップケーブルの引き込み、分岐作業に時間と手間と費用がかかる。また、光クロージャによって上記の部品が異なるため、光クロージャの種類ごとに上記の部品を用意しておかなければならず、煩雑である。
【特許文献１】特開２００８−１７６１０６号公報
【非特許文献１】住友電工株式会社、ホームページ、[クロージャ]、[ｏｎｌｉｎｅ]、[平成２０年９月２９日検索]、インターネット＜ＵＲＬ：ｈｔｔｐ：／／ｗｗｗ．ｏｐｔｉｇａｔｅ．ｊｐ／ｐｕｒｏｄｕｃｔｓ／ｃｌｏｓｕｒｅ／ｉｎｄｅｘ．ｈｔｍｌ＞
【発明の開示】
【発明が解決しようとする課題】
【０００５】
本発明は、上記のような従来の問題に鑑みなされたものであって、光ケーブル用の光クロージャを用いてドロップケーブルを引き込んで分岐させる場合に、光ケーブル用の既設の部品をそのまま使用することができるアダプタを提供することを目的とする。
【課題を解決するための手段】
【０００６】
上記のような課題を解決するために、本発明は、以下のような手段を採用している。
すなわち、本発明は、断面が丸型の光ケーブルを引き込んで分岐させるための光クロージャに、前記光ケーブルの代わりにドロップケーブルを引き込んで分岐させるアダプタであって、前記光ケーブルと同一の断面形状の円柱状に形成されるとともに、前記光クロージャの光ケーブルの引込部に既設の固定金具によって固定可能なアダプタ本体と、該アダプタ本体を軸方向に貫通する、前記ドロップケーブルを挿通させるための少なくとも一つのケーブル挿通孔と、前記ドロップケーブルを前記アダプタ本体に固定するとともに、前記ドロップケーブルと前記ケーブル挿通孔との間をシールする固定手段とを備えていることを特徴とする。
【０００７】
本発明のアダプタによれば、アダプタ本体のケーブル挿通孔内にドロップケーブルを挿通させ、アダプタ本体を既設の固定金具によって光クロージャの光ケーブル引込部に固定することにより、ドロップケーブルを光クロージャに引き込んだ状態に固定することができる。そして、固定手段により、ドロップケーブルがアダプタ本体に固定されるとともに、ドロップケーブルとケーブル挿通孔との間がシールされることになる。
【０００８】
また、本発明は、前記アダプタ本体にはテンションメンバが一体に設けられ、該テンションメンバの一部は前記アダプタ本体の軸方向の一端から突出して、前記光クロージャに既設の把持金具によって固定されていることを特徴とすることとしてもよい。
【０００９】
本発明のアダプタによれば、アダプタ本体に一体に設けられているテンションメンバを既設の把持金具によって光クロージャに固定することにより、テンションメンバを介してアダプタ本体を光クロージャに強固に固定することができる。
【００１０】
さらに、本発明は、前記光クロージャの前記光ケーブルの引込部には、前記光ケーブルと前記光クロージャとの間をシールする既設のグロメットが配置され、該グロメットにより前記アダプタ本体と前記光クロージャとの間がシールされていることを特徴とすることとしてもよい。
【００１１】
本発明のアダプタによれば、アダプタ本体と光クロージャとの間は既設のグロメットによりシールされ、これにより、アダプタ本体と光クロージャとの間から光クロージャの内部に雨水等の水分が侵入するのを防止できる。
【００１２】
さらに、本発明は、前記ケーブル挿通孔の一端側の開口部は、内面が外方に向かって順次広がるテーパ面に形成され、前記固定手段は、外面が前記ケーブル挿通孔の一端側の開口部の内面と合致するテーパ面に形成されるクサビ部と、該クサビ部に一体に設けられて前記アダプタ本体の一端面に係止される係止部とを備えていることを特徴とすることとしてもよい。
【００１３】
本発明のアダプタによれば、固定手段のクサビ部をアダプタ本体のケーブル挿通孔の一端側の開口部に嵌合させ、係止部をアダプタ本体の一端面に係止させることで、ドロップケーブルがアダプタ本体に固定されるとともに、ドロップケーブルとケーブル挿通孔との間がシールされる。この場合、ケーブル挿通孔の開口部の内面は外方に向かって順次広がるテーパ面に形成され、クサビ部の外面はケーブル挿通孔の開口部の内面と合致するテーパ面に形成されているので、クサビ部をケーブル挿通孔の開口部に強く嵌合させることができ、固定手段がケーブル挿通孔から脱落するのを防止できる。
【００１４】
さらに、本発明は、前記アダプタ本体の軸方向の他端にはグロメットが装着され、該グロメットによって前記アダプタ本体の軸方向の他端がシールされていることを特徴とすることとしてもよい。
【００１５】
本発明のアダプタによれば、グロメットにより、アダプタ本体の他端がシールされることになるので、アダプタ本体の他端からケーブル挿通孔を介して光クロージャの内部に雨水等の水分が侵入するのを防止できる。
【発明の効果】
【００１６】
以上、説明したように、本発明のアダプタによれば、光ケーブル用の光クロージャを用いて光ケーブルの代わりにドロップケーブルを引き込んで分岐させる場合に、光ケーブル用の既設の部品（固定金具、グロメット、把持金具等）をそのまま使用して、ドロップケーブルを引き込んで分岐させることができる。従って、ドロップケーブルの引き込み、分岐作業に要する時間と手間と費用を大幅に削減することができる。
【発明を実施するための最良の形態】
【００１７】
以下、図面を参照しながら本発明の実施の形態について説明する。
図１〜図５には、本発明によるアダプタの一実施の形態が示されている。図１はアダプタの全体を示す概略断面図、図２は図１のアダプタの固定手段を省いた右側面図、図３はアダプタを光クロージャに適用した例を示す概略図、図４はアダプタのアダプタ本体と固定手段との関係を示す説明図、図５はドロップケーブルの一例の概略断面図である。
【００１８】
すなわち、本実施の形態のアダプタ１は、企業向けの光アクセス回線サービス等に用いられる、断面丸型の光ケーブルを用いることを前提として設計された各種の光クロージャに適用可能なものであって、光クロージャに丸型の光ケーブルの代わりにドロップケーブルを引き込んで分岐させるのに有効なものである。
【００１９】
断面丸型の光ケーブル用の光クロージャ２０は、例えば、図３に示すように、長手方向の一端に引込部２３が設けられ、他端に引出部（図示せず）が設けられるケーシング２１と、ケーシング２１内に設けられるトレー２４と、ケーシング２１の引込部２３及び引出部に設けられる防水用のグロメット２５と、ケーシング２１内の引込部２３及び引出部に近接する部分に設けられる固定金具２６と、トレー２４の両端部に設けられるテンションメンバ固定用の把持金具３０とを備えている。
【００２０】
グロメット２５は、ゴム等の弾性体から形成される円筒状をなすものであって、ケーシング２１内外を貫通する貫通孔２２に外周側を嵌合させることにより、ケーシング２１の引込部２３及び引出部に一体に取り付けられ、このグロメット２５の内側を各種の丸型の光ケーブル（φ１３ｍｍ程度の光ケーブル等）が挿通可能に構成されている。
【００２１】
固定金具２６は、例えば、プラスチック等から形成される円環状の金具本体２７と、金具本体２７をケーシング２１に固定するネジ２８とからなるものであって、金具本体２７の内側に光ケーブルを挿通させた状態で金具本体２７をネジ２８によりケーシング２１に固定することで、ケーシング２１内に引き込んだ光ケーブルをケーシング２１に固定することができる。
【００２２】
把持金具３０は、光ケーブルの中心に設けられるテンションメンバを挿通させる金具本体３１と、金具本体３１をケーシング２１に固定するネジ３２とから構成され、金具本体３１にテンションメンバを挿通させた状態で、金具本体３１をケーシング２１にネジ３２により固定することで、テンションメンバを把持した状態でケーシング２１に固定することができる。
【００２３】
上記のような構成の光クロージャ２０に適用可能な本実施の形態のアダプタ１は、図１示すように、断面丸型の光ケーブルと同一断面形状の円柱状に形成されるアダプタ本体２と、アダプタ本体２を軸方向に貫通する１つのケーブル挿通孔３と、ケーブル挿通孔３の一端側の開口部４に嵌合される固定手段７と、アダプタ本体２の他端に装着される防水用のグロメット１２とを備え、アダプタ本体２のケーブル挿通孔３内を光ケーブルの代わりに用いたドロップケーブル３５を挿通させるように構成されている。
【００２４】
アダプタ本体２は、難燃ポリエチレン等から形成されるものであって、図３に示すように、光クロージャ２０の引込部２３に設けられている既設のグロメット２５の内側を挿通し、この状態で既設の固定金具２６によりケーシング２１内に固定される。アダプタ本体２は、長手方向の一端部が固定金具２６よりもケーシング２１の内方に所定長さ突出し、長手方向の他端部がケーシング２１の引込部２３の外面よりも外方に所定長さ突出するように、全長が設定されている。
【００２５】
アダプタ本体２のケーブル挿通孔３は、使用するドロップケーブル３５の断面形状に応じた断面形状に形成される。本実施の形態においては、図５に示すように、ドロップケーブル３５に、難燃ポリエチレン製の略矩形端面のシース３６と、シース３６の中心部に設けられる４心テープ心線３７と、シース３６の４心テープ心線３７の両外側に設けられる２本のＦＲＰ製のテンションメンバ３８と、シース３６の一方のテンションメンバ３８の外側に設けられる鋼線からなる１本の支持線３９とを備えたものを用い、このドロップケーブル３５に対応して、アダプタ本体２のケーブル挿通孔３を、図１及び図２に示すように、ドロップケーブル３５の断面形状に合致した略矩形断面に形成している。また、図４に示すように、アダプタ本体２のケーブル挿通孔３の一端側の開口部４は、径方向内外の２面が外方に向かって順次広がる所定の角度のテーパ面５に形成されている。
【００２６】
アダプタ本体２の中心部には、図１〜図３に示すように、鋼線からなるテンションメンバ６がアダプタ本体２の長手方向の一端から突出した状態で一体に設けられ、このテンションメンバ６の突出している部分が既設の把持金具３０によってケーシング２１内のトレー２４に固定される。
【００２７】
固定手段７は、図４に示すように、アダプタ本体２のケーブル挿通孔３の一端側の開口部４に嵌合される略矩形断面のクサビ部８と、クサビ部８の一端に一体に設けられる係止部１０とからなる固定具７であって、クサビ部８及び係止部１０の中心部にはドロップケーブル３５を挿通させる、ドロップケーブル３５と同一断面形状の略矩形断面の貫通孔１１が設けられている。
【００２８】
固定具７は、ゴム等の弾性体から形成され、この固定具７によってケーブル挿通孔３を挿通するドロップケーブル３５がアダプタ本体２に固定されるとともに、ドロップケーブル３５とケーブル挿通孔３との間がシールされる。
【００２９】
固定具７のクサビ部８の上下面は、アダプタ本体２のケーブル挿通孔３の一端側の開口部４のテーパ面５と合致する角度のテーパ面９に形成され、クサビ部８をケーブル挿通孔３の一端側の開口部４に嵌合させた際に、クサビ部８のテーパ面９とケーブル挿通孔３のテーパ面５とが相互に係合することで、クサビ部８の外面とケーブル挿通孔３の内面との間が気密にシールされる。
【００３０】
アダプタ本体２の長手方向の他端部に装着されるグロメット１２は、ゴム等の弾性体から形成されるアダプタ本体２よりも大径の円柱状をなすものであって、図１及び図３に示すように、長手方向の一端面の中心部にアダプタ本体２の他端部を嵌合させる円形断面の凹部１３が設けられ、この凹部１３内にアダプタ本体２の長手方向の他端部を嵌合させることで、アダプタ本体２のケーブル挿通孔３の他端開口部がシールされる。
【００３１】
グロメット１２のアダプタ本体２のケーブル挿通孔３に対応する部分には、グロメット１２の凹部１３の底面とグロメット１２の長手方向の他端面との間を貫通する貫通孔１４が設けられ、この貫通孔１４内をドロップケーブル３５が挿通するようになっている。
【００３２】
この場合、グロメット１２の貫通孔１４内にドロップケーブル３５を挿通した後に、貫通孔１４内に液状ガスケット等のシール剤を充填し、ドロップケーブル３５の周面と貫通孔１４の内面との間の気密性を高めるように構成してもよい。
【００３３】
そして、上記のように構成した本実施の形態によるアダプタ１を用いてドロップケーブル３５を光クロージャ２０に引き込んで分岐させるには、図３に示すように、アダプタ本体２を光クロージャ２０のケーシング２１の引込部２３の既設のグロメット１５の内側を挿通させ、アダプタ本体２の長手方向の一端部を既設の固定金具２６によりケーシング２１に固定し、アダプタ本体２の長手方向の一端から突出しているテンションメンバ６を既設の把持金具３０によりケーシング２１のトレー２４に固定する。
【００３４】
次に、アダプタ本体２の長手方向の他端部にグロメット１２を装着し、グロメット１２の貫通孔１４をアダプタ本体２のケーブル挿通孔３に合致させ、この状態でドロップケーブル３５をグロメット１２の貫通孔１４及びアダプ本体２のケーブル挿通孔３内を挿通させて、光クロージャ２０のケーシング２１内に所定の長さ引き込む。この場合、必要に応じて、グロメット１２の貫通孔１４内に液状ガスケット等のシール剤を充填し、貫通孔１４とドロップケーブル３５との間を気密にシールする。
【００３５】
次に、アダプタ本体２の長手方向の一端からケーシング２１内に引き込んだドロップケーブル３５の部分に固定具７を取り付け、固定具７をドロップケーブル３５に沿って移動させて、クサビ部８をアダプタ本体２のケーブル挿通孔３の一端側の開口部４に嵌合させ、係止部１０をアダプタ本体２の長手方向の一端面に係止させる。これにより、ドロップケーブル３５がアダプタ本体２に固定されるとともに、ドロップケーブル３５とケーブル挿通孔３との間が気密にシールされる。
【００３６】
次に、アダプタ本体２のケーブル挿通孔３を挿通させてケーシング２１内に引き込んだドロップケーブル３５の心線と、ケーシング２１内に引出部を介して引き込んだ引込ケーブル（図示せず）の心線とを融着等の手段によって接合し、ケーシング２１のトレー２４内に余長部分を束ねた状態で収納する。
【００３７】
このようにして、本実施の形態によるアダプタ１を用いることにより、光ケーブル用の光クロージャ２０を用い、光ケーブルの引き込み、分岐作業に用いる既設の部品（固定金具２６、グロメット２５、把持金具３０等）をそのまま用いて、ドロップケーブル３５を光クロージャ２０のケーシング２１内に引き込んで分岐させ、引込ケーブルと接続して企業の各施設に引き込むことができる。
【００３８】
上記のように構成した本実施の形態によるアダプタ１にあっては、光ケーブル用の光クロージャ２０を用いてドロップケーブル３５を引き込んで分岐させる場合に、光ケーブル用の既設の部品（固定金具２６、把持金具３０、グロメット２５等）をそのまま使用して、ドロップケーブル３５を光クロージャ２０のケーシング２１内に引き込んで分岐させることができる。
【００３９】
従って、光ケーブル用の既設の部品(固定金具２６、把持金具３０、グロメット２５等)をドロップケーブル３５用のそれらに交換する必要がないので、ドロップケーブル３５の引き込み、分岐作業に要する手間、時間、及び費用を大幅に削減することができる。
【００４０】
また、光クロージャ２０によって光ケーブル用の既設の部品(固定金具２６、把持金具３０、グロメット２５等)が異なる場合であっても、光クロージャ２０の種類ごとにそれらの部品を用意する煩雑さはない。
【００４１】
この結果、支持物（電柱等）の老朽化等により、光ケーブルでは支持物の所有者からの使用許可が得られないような場合に、使用許可が得られる可能性のあるドロップケーブル３５を容易に、短時間で、費用をかけることなく、光クロージャ２０に引き込んで分岐させることができる。
【００４２】
なお、本実施の形態においては、アダプタ本体２に１つのケーブル挿通孔３を設けて、アダプタ本体２を介して１本のドロップケーブル３５を光クロージャ２０に引き込んだ例を示したが、図６及び図７に示すように、アダプタ本体２に４つのケーブル挿通孔３を設けて、アダプタ本体２を介して４本のドロップケーブル３５を光クロージャ２０に引き込んでもよいし、図８及び図９に示すように、アダプタ本体２に８つのケーブル挿通孔３を設けて、アダプタ本体２を介して８本のドロップケーブル３５を光クロージャ２０に引き込んでもよい。要は、光クロージャ２０に引き込むドロップケーブル３５の本数に応じた数のケーブル挿通孔３をアダプタ本体２に設ければよい。
【００４３】
また、前記の説明においては、固定手段７である固定具７を繰り返し使用するために、固定具７のクサビ部８をアダプタ本体２のケーブル挿通孔３の一端側の開口部４に嵌合させたが、固定具７を繰り返し使用する必要がない場合には、固定具７のクサビ部８をケーブル挿通孔３の一端側の開口部４に嵌合させた状態で、固定具７のクサビ部８及び係止部１０を接着剤によってアダプタ本体２側に固着させるように構成してもよい。
【００４４】
さらに、本実施の形態においては、企業向けの光アクセス回線サービス等に用いられる丸型の光ケーブルを用いることを前提として設計された光クロージャ２０に、丸型の光ケーブルの代わりにドロップケーブル３５を引き込んで分岐させる場合について説明したが、企業に限らず、個人宅へ引き込むドロップケーブル３５の引き込み、分岐作業に本実施の形態によるアダプタ１を用いてもよいものであり、その場合にも同様の作用効果を奏することは勿論のことである。
【図面の簡単な説明】
【００４５】
【図１】本発明によるアダプタの一実施の形態の全体を示した概略断面図である。
【図２】図１のアダプタの右側面図である。
【図３】図１のアダプタの使用例を示した該略図である。
【図４】アダプタのアダプタ本体と固定具との関係を示した説明図である。
【図５】ドロップケーブルの一例を示した概略断面図である。
【図６】アダプタの他の実施の形態を示した概略断面図である。
【図７】図６のアダプタの右側面図である。
【図８】アダプタの他の実施の形態を示した概略断面図である。
【図９】図８の右側面図である。
【符号の説明】
【００４６】
１  アダプタ
２  アダプタ本体
３  ケーブル挿通孔
４  開口部
５  テーパ面
６  テンションメンバ
７  固定手段（固定具）
８  クサビ部
９  テーパ面
１０  係止部
１１  貫通孔
１２  グロメット
１３  凹部
１４  貫通孔
２０  光クロージャ
２１  ケーシング
２２  貫通孔
２３  引込部
２４  トレー
２５  グロメット
２６  固定金具
２７  金具本体
２８  ネジ
３０  把持金具
３１  金具本体
３２  ネジ
３５  ドロップケーブル
３６  シース
３７  ４心テープ心線
３８  テンションメンバ
３９  支持線
【図１】
2010091880.tif 000003
【図２】
2010091880.tif 000004
【図３】
2010091880.tif 000005
【図４】
2010091880.tif 000006
【図５】
2010091880.tif 000007
【図６】
2010091880.tif 000008
【図７】
2010091880.tif 000009
【図８】
2010091880.tif 000010
【図９】
2010091880.tif 000011